(57)【要約】【課題】小型化しても信頼性を低下させることのないスライドスイッチを提供する。【解決手段】一面側が開口する収納部１０を有し収納部１０の内面に複数の固定接点１２が設けられたケース体１と、ケース体１内にスライド自在に保持された操作部材３と、操作部材３に設けられスライド移動に伴って複数の固定接点１２間の導通状態を切替える可動接点体４と、収納部１０の開口１０ａを覆うカバー体２とを備え、可動接点体４は固定接点１２が設けられるケース体１の内面に対向した金属材からなり、カバー体２には可動接点体４を備えた操作部材３を固定接点１２側に押圧する押圧部２２が形成されてなる。【選択図】図２
2009080940.tif 000002
【特許請求の範囲】
【請求項１】
一面側が開口する収納部を有し該収納部の開口と対向する内面に複数の固定接点が設けられたケース体と、該ケース体内にスライド自在に保持された操作部材と、該操作部材に設けられスライド移動に伴って前記複数の固定接点間の導通状態を切替える可動接点体と、前記収納部の開口を覆うカバー体とを備えたスライドスイッチにおいて、
前記可動接点体は前記固定接点が設けられる前記ケース体の内面に対向した金属材からなり、前記カバー体には前記可動接点体を備えた操作部材を前記固定接点側に押圧する押圧部が形成されてなることを特徴とするスライドスイッチ。
【請求項２】
前記カバー体は金属板からなると共に、前記固定接点と対向する位置には略Ｕ字状に打ち抜かれた切欠部が形成されることで、前記押圧部として弾性を有した舌片が一体的に形成され、該舌片が前記操作部材を押圧することで前記可動接点体が前記固定接点側に押圧されることを特徴とする請求項１記載のスライドスイッチ。
【請求項３】
前記舌片は複数の前記固定接点にそれぞれ対応するように複数形成されると共に、前記固定接点と対向する位置に該固定接点側に向かって突出する突出部を備えてなることを特徴とする請求項２記載のスライドスイッチ。
【請求項４】
前記可動接点体は板状の部材からなり、前記操作部材に埋設されて設けられると共に、前記固定接点と対向する面は前記操作部材から露出することを特徴とする請求項１〜３のいずれか１項に記載のスライドスイッチ。
【請求項５】
前記ケース体には前記操作部材をスライド自在に案内する案内部が形成されてなることを特徴とする請求項１〜４のいずれか１項に記載のスライドスイッチ。
【請求項６】
前記固定接点は前記ケース体の内面から突出状に形成される接触部を備え、前記案内部は前記ケース体の内面における前記接触部間に該接触部よりも低く突出するように形成されてなることを特徴とする請求項５記載のスライドスイッチ。
【請求項７】
前記ケース体の側面に対向する可動接点体の端部には凸状の係合部が形成され、前記ケース体の収納部には前記可動接点体がスライド移動するのに伴って前記係合部が係脱する凸部を備えた金属材からなるバネ部材が設けられてなることを特徴とする請求項１〜６のいずれか１項に記載のスライドスイッチ。
【発明の詳細な説明】
【技術分野】
【０００１】
本発明は、可動接点体を備えた操作部材がスライド操作されることで固定接点との導通状態を切替えるスライドスイッチに関し、特に可動接点体と固定接点との導通を良好にしつつ薄型化を図ったスライドスイッチに関する。
【背景技術】
【０００２】
従来、スライド操作自在な操作部材を備えたスライドスイッチが知られており、このスライドスイッチにおいては、操作部材に可動接点体を備え、操作部材を納めるケース体内に固定接点が設けられ、操作部材のスライド操作に伴って固定接点の導通状態を切替えるようにしている。操作部材に設けられる可動接点体は、弾性を有した金属薄板からなり、対向する固定接点側に対して弾性的に接触するようにしている。このようにすることで、可動接点体と固定接点とを確実に導通させることができる。このようなスライドスイッチとしては、例えば特許文献１に挙げるようなものがある。
【特許文献１】特開平１１−３１４３４号公報
【発明の開示】
【発明が解決しようとする課題】
【０００３】
しかし、スライドスイッチが用いられる電子機器類は小型化が求められるため、スライドスイッチについても小型化する必要がある。スライドスイッチの小型化を図ると、可動接点体も小さくなるため、弾性を確保することが困難となる。可動接点体の弾性力が小さくなると、固定接点との接触が不安定となり、信頼性の点で問題となる。このため、十分な小型化が困難となっていた。
【０００４】
本発明は前記課題を鑑みてなされたものであり、小型化しても信頼性を低下させることのないスライドスイッチを提供することを目的とする。
【課題を解決するための手段】
【０００５】
前記課題を解決するため、本発明に係るスライドスイッチは、一面側が開口する収納部を有し該収納部の開口と対向する内面に複数の固定接点が設けられたケース体と、該ケース体内にスライド自在に保持された操作部材と、該操作部材に設けられスライド移動に伴って前記複数の固定接点間の導通状態を切替える可動接点体と、前記収納部の開口を覆うカバー体とを備えたスライドスイッチにおいて、
前記可動接点体は前記固定接点が設けられる前記ケース体の内面に対向した金属材からなり、前記カバー体には前記可動接点体を備えた操作部材を前記固定接点側に押圧する押圧部が形成されてなることを特徴として構成されている。
【０００６】
また、本発明に係るスライドスイッチは、前記カバー体は金属板からなると共に、前記固定接点と対向する位置には略Ｕ字状に打ち抜かれた切欠部が形成されることで、前記押圧部として弾性を有した舌片が一体的に形成され、該舌片が前記操作部材を押圧することで前記可動接点体が前記固定接点側に押圧されることを特徴として構成されている。
【０００７】
さらに、本発明に係るスライドスイッチは、前記舌片は複数の前記固定接点にそれぞれ対応するように複数形成されると共に、前記固定接点と対向する位置に該固定接点側に向かって突出する突出部を備えてなることを特徴として構成されている。
【０００８】
さらにまた、本発明に係るスライドスイッチは、前記可動接点体は板状の部材からなり、前記操作部材に埋設されて設けられると共に、前記固定接点と対向する面は前記操作部材から露出することを特徴として構成されている。
【０００９】
そして、本発明に係るスライドスイッチは、前記ケース体には前記操作部材をスライド自在に案内する案内部が形成されてなることを特徴として構成されている。
【００１０】
また、本発明に係るスライドスイッチは、前記固定接点は前記ケース体の内面から突出状に形成される接触部を備え、前記案内部は前記ケース体の内面における前記接触部間に該接触部よりも低く突出するように形成されてなることを特徴として構成されている。
【００１１】
さらに、本発明に係るスライドスイッチは、前記ケース体の側面に対向する可動接点体の端部には凸状の係合部が形成され、前記ケース体の収納部には前記可動接点体がスライド移動するのに伴って前記係合部が係脱する凸部を備えた金属材からなるバネ部材が設けられてなることを特徴として構成されている。
【発明の効果】
【００１２】
本発明に係るスライドスイッチによれば、可動接点体は固定接点が設けられるケース体の内面に対向した金属材からなり、カバー体には可動接点体を備えた操作部材を固定接点側に押圧する押圧部が形成されてなることにより、可動接点体のバネ性に頼ることなく可動接点体と固定接点との間に接点荷重をかけることができる。したがって、スライドスイッチが小型化されても、押圧部により可動接点体を備えた操作部材を固定接点側に押圧して、可動接点体と固定接点とを確実に導通させることができるので、接点切替の信頼性を充分に確保することができる。すなわち、信頼性を確保しつつスライドスイッチの小型化を図ることができる。
【００１３】
また、本発明に係るスライドスイッチによれば、カバー体は金属板からなると共に、固定接点と対向する位置には略Ｕ字状に打ち抜かれた切欠部が形成されることで、押圧部として弾性を有した舌片が一体的に形成され、舌片が操作部材を押圧することで可動接点体が固定接点側に押圧されることにより、金属板のバネ性によって押圧部で充分な接点荷重を得ることができる。
【００１４】
さらに、本発明に係るスライドスイッチによれば、舌片は複数の固定接点にそれぞれ対応するように複数形成されると共に、固定接点と対向する位置に固定接点側に向かって突出する突出部を備えてなることにより、可動接点体と固定接点との導通状態における信頼性をより向上させることができる。
【００１５】
さらにまた、本発明に係るスライドスイッチによれば、可動接点体は板状の部材からなり、操作部材に埋設されて設けられると共に、固定接点と対向する面は操作部材から露出することにより、操作部材を可動接点体で強化することができる。
【００１６】
そして、本発明に係るスライドスイッチによれば、ケース体には操作部材をスライド自在に案内する案内部が形成されてなることにより、操作部材のスライド操作を円滑にすることができる。
【００１７】
また、本発明に係るスライドスイッチによれば、固定接点はケース体の内面から突出状に形成される接触部を備え、案内部はケース体の内面における接触部間に該接触部よりも低く突出するように形成されてなることにより、案内部が配置される収納部内のスペース効率を向上させ、また固定接点と可動接点体との接触も阻害されないようにすることができる。
【００１８】
さらに、本発明に係るスライドスイッチによれば、ケース体の側面に対向する可動接点体の端部には凸状の係合部が形成され、ケース体の収納部には可動接点体がスライド移動するのに伴って係合部が係脱する凸部を備えた金属材からなるバネ部材が設けられてなることにより、操作部材のスライド操作に伴ってクリック感触を創出することができ、また金属材同士の係脱によりクリック感触を創出するので耐久性を高くすることができる。
【発明を実施するための最良の形態】
【００１９】
本発明の実施形態について図面に沿って詳細に説明する。図１には、本実施形態におけるスライドスイッチの斜視図を示している。この図に示すように本実施形態におけるスライドスイッチは、一面側が開口するケース体１と、ケース体１の開口する面を覆うように取付けられるカバー体２と、ケース体１内に納められ、ケース体１の開口する面と直交する面に形成されるスライド開口１１に沿ってスライド自在に保持される操作部材３と、ケース体１から突出するように設けられる端子部１３とを有して構成される。このスライドスイッチは、操作部材３をスライド操作することにより、ケース体１内において接点が切り替わり、端子部１３から取り出される出力が変化して、スライド操作を検出することのできるものである。
【００２０】
図２には、スライドスイッチの分解斜視図を示している。この図に示すように、ケース体１は一面に開口１０ａを有する収納部１０が形成されて全体が略箱状となるようにされている。開口１０ａと対向する内面、すなわち、収納部１０の内底面には、ドーム状に形成されてなる３つの固定接点１２が、操作部材３のスライド移動方向に沿って互いに所定間隔を有し配置されている。固定接点１２は、開口側の先端部が可動接点体４と接触する接触部１２ａとされており、またケース体１内に埋設された部分がそれぞれ端子部１３と連続状に繋がっている。
【００２１】
各固定接点１２間には、収納部１０の底面から突出する案内部１４がそれぞれ形成されている。案内部１４は平面視略方形状を有するように形成されており、その突出高さは固定接点１２の接触部１２ａの高さよりも低くなるようにされている。この案内部１４は、操作部材３をケース体１内においてスライド移動方向にガイドする機能を有している。
【００２２】
また、収納部１０のスライド開口１１と対向する面には、弾性を有した金属板からなるバネ部材１５が設けられている。バネ部材１５は、両端部から中央側に向かってスライド開口１１側に上り傾斜状とされ、さらに中央部には凸状に形成された凸部１５ａを有している。このバネ部材１５は、操作部材３のスライド操作に伴ってクリック感触を創出するために設けられる。
【００２３】
操作部材３は、全体が略Ｔ字状となるように形成され、スライド開口１１からケース体１の外部に露出する幅狭状の操作部３０と、収納部１０に納められケース体１の固定接点１２が設けられた内面及びカバー体２の上面部２０とそれぞれ対向する幅広状の保持部３１とを備えている。保持部３１には、固定接点１２が設けられる収納部１０の内底面と対向する面に、案内部１４に案内される凹部３２がスライド移動方向に沿って形成されている。
【００２４】
操作部材３には金属板からなる可動接点体４が埋設され一体化される。可動接点体４は、操作部材３の固定接点１２と対向する面から露出し、固定接点１２と接離する露出部４０と、露出部４０から上方に伸びて操作部材３の操作部３０内に埋設される操作部構成部４１とを有している。露出部４０は、下端部が円弧状に突出して係合部４２を形成しており、操作部材３のスライド操作に伴ってケース体１に設けられたバネ部材１５と係脱する。
【００２５】
可動接点体４の露出部４０は、ケース体１に設けられる３つの固定接点１２のうち、２つの固定接点に接触することのできるスライド方向長さを有している。したがって、操作部材３をスライド開口１１のいずれか一端に配置した状態では、可動接点体４は一端側に配置された固定接点１２と中央に配置された固定接点１２の両方に接触する。操作部材３をスライド開口１１の他方側にスライド移動させると、可動接点体４は一端側に配置された固定接点１２との接触が解除され、中央に配置された固定接点１２とは接触を維持しつつスライド移動する。操作部材３をスライド開口１１の他端にまでスライド移動させると、可動接点体４は他端側に配置された固定接点１２と接触し、中央に配置された固定接点１２とはそのまま接触を維持する。これによって固定接点１２間の接触状態が変化し、操作部材３のスライド操作を検出することができる。
【００２６】
カバー体２は、ケース体１の収納部１０（開口１０ａ）を覆う上面部２０と、上面部２０の両側部からケース体１側に折り曲げ形成された側面部２１とを有して構成されている。側面部２１には、ケース体１の側面に形成される係合部１６と係合するように形成されており、ケース体１に対して係合固定することができるようにされている。
【００２７】
カバー体２の上面部２０には、３箇所に略Ｕ字状の切欠部２２ａが形成されることで、それぞれ一端部がカバー体２のその他の部分に支持された舌片２２ｂが形成される。舌片２２ｂは一端部のみが支持されていることにより、弾性を有しており、さらにケース体１の収納部１０側に若干折り曲げられていることで、上面部２０と対向するように収納部１０に納められる操作部材３を弾性的に押圧する押圧部２２を構成している。
【００２８】
押圧部２２を構成する舌片２２ｂは、先端部が円弧状となっており、この部分はカバー体２がケース体１に取付けられた状態で、ケース体１の３つの固定接点１２の接触部１２ａとそれぞれ対向する。したがって、操作部材３をスライド操作すると、操作部材３は固定接点１２の位置において、カバー体２側から押圧部２２によって固定接点１２側に押圧されることとなる。
【００２９】
図３には、スライドスイッチの縦断面図を示している。この図に示すように、収納部１０の内面からドーム状に突出する固定接点１２の接触部１２ａは、操作部材３をガイドする案内部１４よりも高くなるように形成されている。また、操作部材３には前述のように可動接点体４が埋設されており、可動接点体４の露出部４０は固定接点１２の接触部１２ａに対して接触可能となるように配置されている。
【００３０】
カバー体２に形成される押圧部２２を構成する舌片２２ｂは、先端部に固定接点１２側に向かって突出する突出部２２ｃが形成されている。突出部２２ｃは、表面が略ドーム状となるように形成されており、滑らかな曲面によって構成されている。前述のように舌片２２ｂは弾性を有しており、可動接点体４を備えた操作部材３を固定接点１２の位置で該固定接点１２側に向かって押圧するが、突出部２２ｃが滑らかな曲面によって構成されていることにより、操作部材３のスライド移動に伴って円滑にこれを固定接点１２側に押圧することができる。
【００３１】
このように、カバー体２に操作部材３を固定接点１２側に押圧できる押圧部２２を設けたことにより、スライドスイッチが小型化されても、押圧部２２により可動接点体４を備えた操作部材３を固定接点１２側に押圧して、可動接点体４と固定接点１２とを確実に導通させることができるので、接点切替の信頼性を充分に確保することができる。すなわち、信頼性を確保しつつスライドスイッチの小型化を図ることができる。また、押圧部２２は弾性を有した舌片２２ｂによって構成されているので、可動接点体４に対して充分な接点荷重を与えることができる。さらに、カバー体２は金属板からなるため、押圧部２２を構成する舌片２２ｂの弾性による押圧力を大きくすることができ、より確実に接点荷重を確保することができる。
【００３２】
以上、本発明の実施形態について説明したが、本発明の適用は本実施形態には限られず、その技術的思想の範囲内において様々に適用されうるものである。例えば、本実施形態では、カバー体２の上面部２０に切欠部２２ａを形成し、それによって弾性を有する舌片２２ｂを形成して押圧部２２を構成したが、押圧部２２としては弾性を有するものではなく、カバー体２の内面側に形成される突起などによって構成してもよい。
【図面の簡単な説明】
【００３３】
【図１】本実施形態におけるスライドスイッチの斜視図である。
【図２】スライドスイッチの分解斜視図である。
【図３】スライドスイッチの縦断面図である。
【符号の説明】
【００３４】
１    ケース体
２    カバー体
３    操作部材
４    可動接点体
１０    収納部
１０ａ  開口
１１    スライド開口
１２    固定接点
１２ａ  接触部
１３    端子部
１４    案内部
１５    バネ部材
１５ａ  凸部
１６    係合部
２０    上面部
２１    側面部
２２    押圧部
２２ａ  切欠部
２２ｂ  舌片
２２ｃ  突出部
３０    操作部
３１    保持部
３２    凹部
４０    露出部
４１    操作部構成部
４２    係合部
【図１】
2009080940.tif 000003
【図２】
2009080940.tif 000004
【図３】
2009080940.tif 000005